(57)【特許請求の範囲】
【請求項１】
温水または冷水を生成すると共に、制御部(１４)を有する水ユニット(２)と、
上記水ユニット(２)によって生成された温水または冷水を所定の供給先(２７,２８)へ案内する一方、上記所定の供給先(２７,２８)で発生した戻り水を上記水ユニット(２)へ案内する水配管(５２,５３)を介して、上記水ユニット(２)に接続されたヘッダ(２１,２２)と、
上記ヘッダ(２１)に接続された複数の熱動弁(２３〜２６)と、
上記所定の供給先(２７,２８)の温度を設定するためのリモコン(３２)と、
上記制御部(１４)と上記リモコン(３２)との間に設けられた第１通信線(３３)と、
上記制御部(１４)と上記複数の熱動弁(２３〜２６)との間に設けられて、上記各熱動弁(２３〜２６)の開閉動作を制御するための第２通信線(３５,３６)と
を備え、
上記水ユニット(２)と上記ヘッダ(２１,２２)とは、建物内に部屋を形成するための壁を挟んで設置され、上記水ユニット(２)は上記部屋外に設置される一方、上記ヘッダ(２１,２２),上記複数の熱動弁(２３〜２６)および上記リモコン(３２)は上記部屋内に設置されており、
上記制御部(１４)は、上記第１通信線(３３)を介して上記リモコン(３２)に接続されていると共に、上記第２通信線(３５,３６)を介して上記各熱動弁(２３〜２６)に接続されており、上記所定の供給先(２７,２８)の設定温度に関する通信を上記リモコン(３２)との間で行うと共に、上記通信の結果に基づいて、上記所定の供給先(２７,２８)の温度が上記設定温度になるように、上記各熱動弁(２３〜２６)の開閉動作を制御し、
上記水ユニット(２)は屋外に設置される一方、上記ヘッダ(２１,２２)および上記複数の熱動弁(２３〜２６)は屋内に設置され、
上記ヘッダ(２１,２２)および上記熱動弁(２３〜２６)を有するヘッダユニット(３)内に設けられると共に、屋内に設置されて上記第２通信線(３５,３６)を中継する中継端子(３４)を備え、
上記第２通信線(３５,３６)は、主として上記ヘッダユニット(３)外に配置されるヘッダユニット外通信線(３６)と、上記ヘッダユニット(３)内に配置されるヘッダユニット内通信線(３５)とからなり、
上記ヘッダユニット外通信線(３６)は、上記中継端子(３４)を介して上記ヘッダユニット内通信線(３５)に接続されている
ことを特徴とする温調システム。
【請求項２】
請求項１に記載の温調システムにおいて、
上記第２通信線(３５,３６)に接続されたメカニカルリレーを備えた
ことを特徴とする温調システム。
【請求項３】
請求項１または請求項２に記載の温調システムにおいて、
上記ヘッダ(２１,２２)および上記複数の熱動弁(２３〜２６)は、屋内の床下に設置されている
ことを特徴とする温調システム。
【請求項４】
請求項１から請求項３までの何れか一つに記載の温調システムにおいて、
高温の熱媒体または低温の熱媒体を生成して上記水ユニット(２)に供給する熱源ユニット(１)を備え、
上記水ユニット(２)は、上記熱源ユニット(１)と一体に構成されている
ことを特徴とする温調システム。
【発明の詳細な説明】
【技術分野】
【０００１】
この発明は、温調対象物に熱媒体を供給して温調を行う温調システムに関する。
【背景技術】
【０００２】
室内や床下に設置された放熱器に熱媒体を供給して温調を行う温調システムとして、特開２００５‐３７０１９号公報(引用文献１)に開示された給湯暖房機がある。上記従来の給湯暖房機においては、給湯用バーナの燃焼気体の熱を給湯用熱交換器での熱交換によって水を加熱する。そして、生成された湯を外部の屋内に設置された複数の床暖房機器に供給するための接続口を有している。
【０００３】
また、上記給湯暖房機において、上記給湯用熱交換器によって生成された湯の上記床暖房機器への供給・停止は、通常、上記給湯暖房機内に、上記接続口の数に応じて複数設置された熱動弁によって行われる。
【０００４】
しかしながら、上記従来の引用文献１に開示された給湯暖房機では、以下のような問題がある。
【０００５】
すなわち、上記給湯用熱交換器によって生成された湯を複数の上記床暖房機器に供給・停止する複数の上記熱動弁を、屋外に設置される上記給湯暖房機内に設置している。そのため、屋外の上記給湯暖房機に設置された複数の熱動弁の夫々と屋内の各上記床暖房機器との間を、長い複数の配管を引き回して接続する必要がある。また、家の壁には、複数の配管の夫々を通すための複数の孔あるいはまとめて通すための大きな穴を空ける必要がある。そのため、施工性が悪く、コストも掛かるという問題がある。
【０００６】
そこで、このような施工性の問題を解消するために、以下のような温調システムが考えられる。
【０００７】
先ず、温水ユニットを熱源ユニットと別体に設け、複数の熱動弁を上記温水ユニットに設ける温調システムが考えられる。この温調システムでは、上記温水ユニットおよび上記熱源ユニットを屋外に設置した場合には、上記引用文献１に開示された給湯暖房機と同様の問題がある。さらに、上記温水ユニットのみを屋内に設置した場合には、上記施工性の問題は解消されるが、屋内に上記温水ユニットを設置するスペースの確保や、ポンプの騒音対策等の、新たな問題が発生する。
【０００８】
また、温水ユニットを内蔵すると共に、温水ユニット制御部を有する熱源ユニットを屋外に設置する一方、複数の熱動弁とこの熱動弁専用の制御部とを有するヘッダユニットを屋内に設置する温調システムが考えられる。また、温水ユニットを内蔵すると共に、温水ユニット制御部を有する熱源ユニットを屋外に設置する一方、屋内に設置された複数の熱動弁を、屋内に設置された専用の制御部で制御する温調システムが考えられる。これらの温調システムでは、上記熱電動弁の動作制御と通信のためだけに、熱動弁専用の制御部を新たに設ける必要があり、コストアップになるという問題がある。
【先行技術文献】
【特許文献】
【０００９】
【特許文献１】特開２００５‐３７０１９号公報
【発明の概要】
【発明が解決しようとする課題】
【００１０】
そこで、この発明の課題は、施工性を向上できる安価な温調システムを提供することにある。
【課題を解決するための手段】
【００１１】
上記課題を解決するため、この発明の温調システムは、
温水または冷水を生成すると共に、制御部を有する水ユニットと、
上記水ユニットによって生成された温水または冷水を所定の供給先へ案内する一方、上記所定の供給先で発生した戻り水を上記水ユニットへ案内する水配管を介して、上記水ユニットに接続されたヘッダと、
上記ヘッダに接続された複数の熱動弁と、
上記所定の供給先の温度を設定するためのリモコンと、
上記制御部と上記リモコンとの間に設けられた第１通信線と、
上記制御部と上記複数の熱動弁との間に設けられて、上記各熱動弁の開閉動作を制御するための第２通信線と
を備え、
上記水ユニットと上記ヘッダとは、建物内に部屋を形成するための壁を挟んで設置され、上記水ユニットは上記部屋外に設置される一方、上記ヘッダ,上記複数の熱動弁および上記リモコンは上記部屋内に設置されており、
上記制御部は、上記第１通信線を介して上記リモコンに接続されていると共に、上記第２通信線を介して上記各熱動弁に接続されており、上記所定の供給先の設定温度に関する通信を上記リモコンとの間で行うと共に、上記通信の結果に基づいて、上記所定の供給先の温度が上記設定温度になるように、上記各熱動弁の開閉動作を制御し、
上記水ユニットは屋外に設置される一方、上記ヘッダおよび上記複数の熱動弁は屋内に設置され、
上記ヘッダおよび上記熱動弁を有するヘッダユニット内に設けられると共に、屋内に設置されて上記第２通信線を中継する中継端子を備え、
上記第２通信線は、主として上記ヘッダユニット外に配置されるヘッダユニット外通信線と、上記ヘッダユニット内に配置されるヘッダユニット内通信線とからなり、
上記ヘッダユニット外通信線は、上記中継端子を介して上記ヘッダユニット内通信線に接続されている
ことを特徴としている。
【００１２】
ここで、上記「壁」としては、例えば、建物内の部屋と建物外の空間との間に設けられる壁や、建物内の部屋とガレージ内または倉庫内の空間との間に設けられる壁などが含まれる。
【００１３】
上記構成によれば、温水または冷水を生成する水ユニットと、複数の熱動弁が接続されたヘッダとは、建物内に部屋を形成するための壁を挟んで設置されているので、上記水ユニットによって生成された温水または冷水を所定の供給先へ案内する一方、この所定の供給先で発生した戻り水を上記水ユニットへ案内する水配管は、上記水ユニットの往き水ポートおよび戻り水ポートと上記ヘッダの接続口とを接続する２本の水配管でよい。
【００１４】
したがって、上記水ユニットの施工時に、上記水ユニットと上記ヘッダとの間に介在する壁には、上記２本の水配管を通すための孔を開けるだけでよく、施工性を改善し、コストを低減するこができる。また、上記壁の見栄えを改善することができる。
【００１５】
さらに、上記水ユニットに設けられて各熱動弁の開閉動作を制御する制御部は、第２通信線を介して上記各熱動弁に接続されている。したがって、熱動弁専用の制御部を設ける必要がなく、コストの低減を図ることができる。
【００１６】
【００１７】
また、上記水ユニットは屋外に設置される一方、上記ヘッダおよび上記複数の熱動弁は屋内に設置されている。したがって、上記水ユニットと上記ヘッダとの間に介在する壁には、建物の外壁が含まれる。
【００１８】
建屋の外壁は、その家の印象の善し悪しを左右する。そのため、建屋の外壁に、複数の配管を通すための複数の孔や大きな穴が開いていると、家の印象が悪くなってしまう。
【００１９】
また、上記水ユニットの施工時に、建屋の外壁には、上記２本の水配管を通すための孔を開けるだけでよく、コストの低減を図ると共に、建屋の見栄えを大幅に改善して家の印象の低下を防止することができる。
【００２０】
【００２１】
また、ヘッダユニット内に設けられた中継端子を介してヘッダユニット外通信線とヘッダユニット内通信線とを接続することによって、上記制御部と上記各熱動弁とを接続する第２通信線を構成している。したがって、予め上記中継端子と上記各熱動弁とを上記ヘッダユニット内通信線で接続しておくことにより、上記水ユニットの施工時には、上記ヘッダユニット外通信線を直接上記各熱動弁に接続する必要がなく、施工性をさらに向上させることができる。
【００２２】
また、一実施の形態の温調システムでは、
上記第２通信線に接続されたメカニカルリレーを備えている。
【００２３】
この実施の形態によれば、上記第２通信線に接続されるリレーとして、ノイズが発生し易い半導体リレーではなく、ノイズが発生し難いメカニカルリレーを用いているので、上記通信線全体の長さが５ｍ〜２０ｍと長い場合であっても、ノイズ発生の低減を図ることができる。
【００２４】
また、一実施の形態の温調システムでは、
上記ヘッダおよび上記複数の熱動弁は、屋内の床下に設置されている。
【００２５】
この実施の形態によれば、上記ヘッダおよび上記複数の熱動弁を、上記ヘッダおよび上記熱動弁に接続される床冷暖房パネルが設置される床下に設置しているので、上記ヘッダおよび上記熱動弁と上記床冷暖房パネルとを接続する配管の引き回しを短くすると共に、室内から上記ヘッダユニットを無くして室内をスッキリさせることができる。
【００２６】
また、一実施の形態の温調システムでは、
高温の熱媒体または低温の熱媒体を生成して上記水ユニットに供給する熱源ユニットを備え、
上記水ユニットは、上記熱源ユニットと一体に構成されている。
【００２７】
この実施の形態によれば、上記熱源ユニットと上記水ユニットとの間の配管工事および配線工事が不要となり、更なる施工性の改善を図ることができる。
【発明の効果】
【００２８】
以上より明らかなように、この発明の温調システムは、温水または冷水を生成する水ユニットと複数の熱動弁が接続されたヘッダとが壁を挟んで設置されている。したがって、上記水ユニットによって生成された温水または冷水、および、発生した戻り水を案内する水配管を、上記水ユニットの往き水ポートおよび戻り水ポートと上記ヘッダの接続口とを接続する２本の水配管にすることができる。
【００２９】
すなわち、この発明によれば、上記水ユニットの施工時に、上記水ユニットと上記壁との間に引き回す配管の本数を少なくすることができる。さらに、上記水ユニットと上記ヘッダとの間に介在する壁には、上記２本の水配管を通すための孔を開けるだけでよい。そのために、施工性を改善し、コストを低減するこができる。また、上記壁の見栄えを大幅に改善することができる。
【図面の簡単な説明】
【００３０】
【図１】この発明の温調システムにおける概略構成を示す図である。
【図２】図１における水ユニットの全体構成を示す図である。
【図３】図１とは異なる温調システムの概略構成を示す図である。
【発明を実施するための形態】
【００３１】
以下、この発明を図示の実施の形態により詳細に説明する。図１は、本実施の形態の温調システムにおける概略構成を示す図である。
【００３２】
本温調システムは、室外ユニット１と、この室外ユニット１に接続された水ユニット２と、この水ユニット２に接続されたヘッダユニット３とを備えている。ここで、室外ユニット１および水ユニット２は屋外に設置される一方、ヘッダユニット３は屋内に設置される。
【００３３】
上記室外ユニット１は、圧縮機４,四路弁５,室外熱交換器６,電動膨張弁７およびアキュムレータ８を有している。電動膨張弁７の一端側には、室外熱交換器６の一端側が接続されている。また、四路弁５の切替によって、暖房運転時には、圧縮機４は、吸入側が室外熱交換器６の他端側に接続されると共に、吐出側がプレート式水熱交換器９の一端側に接続されている。一方、冷房運転時には、圧縮機４は、吸入側がプレート式水熱交換器９の一端側に接続されると共に、吐出側が室外熱交換器６の他端側に接続されている。
【００３４】
また、上記室外ユニット１は、例えばサーミスタからなる第１〜第３温度センサ１０〜１２と、この第１〜第３温度センサ１０〜１２が検出した温度を示す信号を受ける室外制御装置１３とを有している。
【００３５】
上記第１温度センサ１０は、圧縮機４と四路弁５との間の上記熱媒体としての冷媒の温度を検出する。第２温度センサ１１は、室外熱交換器６に取り付けられて、室外熱交換器６内の冷媒の温度を検出する。第３温度センサ１２は、室外熱交換器６の近傍に配置されて、外気温を検出する。
【００３６】
上記室外制御装置１３は、上記各温度センサ１０〜１２からの検出値に基づいて、プレート式水熱交換器９の熱交換効率が最適となるように、圧縮機４のインバータ(図示せず)を制御すると共に、電動膨張弁７の開度を制御する。さらに、室外制御装置１３は、図示しない信号線を介して水ユニット２の制御部１４に接続されている。
【００３７】
また、上記室外熱交換器６,圧縮機４,プレート式水熱交換器９および電動膨張弁７は順に連結されて、冷媒回路を構成している。
【００３８】
上記水ユニット２は、屋外に設置され、プレート式水熱交換器９,膨張タンク１５および循環ポンプ１６を有している。
【００３９】
上記プレート式水熱交換器９は、上記冷媒回路の凝縮器または蒸発器として機能する。このプレート式水熱交換器９には、室外ユニット１からの冷媒が流れる流路と、屋内に設置されている床冷暖房パネル２７,２８からの戻り水が流れる流路とが設けられている。
また、膨張タンク１５は、正負圧弁が付いており、プレート式水熱交換器９からの温水または冷水が溜められる。さらに、膨張タンク１５の上部には給水口１５aが設けられており、給水口１５aから膨張タンク１５内に水が必要時に補充可能になっている。なお、床冷暖房パネル２７,２８は、所定の供給先の一例である。
【００４０】
上記循環ポンプ１６は、吸入側が膨張タンク１５に接続される一方、吐出側がヘッダユニット３の往きヘッダ２１に接続されている。これにより、循環ポンプ１６は、プレート式水熱交換器９を通過する冷媒と熱交換した温水または冷水を、往きヘッダ２１に接続された床冷暖房パネル２７,２８に送ることができる。
【００４１】
また、上記水ユニット２は、例えばサーミスタからなる第１,第２水温センサ１７,１８と、例えばサーミスタからなる冷媒温センサ１９と、圧力センサ２０と、制御部１４とを有している。
【００４２】
上記第１水温センサ１７は、プレート式水熱交換器９から床冷暖房パネル２７,２８に向って流れる温水または冷水の温度を検出する。第２水温センサ１８は、床冷暖房パネル２７,２８からプレート式水熱交換器９へ向かって流れる温水または冷水の温度を検出する。冷媒温センサ１９は、電動膨張弁７とプレート式水熱交換器９との間の冷媒の温度を検出する。圧力センサ２０は、プレート式水熱交換器９の近傍に配置され、四路弁５とプレート式水熱交換器９との間の冷媒の圧力を検出し、この圧力を示す信号を制御部１４に送出する。
【００４３】
上記制御部１４は、上記床冷暖房パネル２７,２８の設定温度を示す信号等を室外制御装置１３に送出する。また、制御部１４は、室外制御装置１３からの指示信号や、第１,第２水温センサ１７,１８が検出する温水または冷水の温度等に基づいて、循環ポンプ１６および第１〜第４熱動弁２３〜２６等を制御する。
【００４４】
上記ヘッダユニット３は、屋内に設置され、往きヘッダ２１および戻りヘッダ２２を有している。往きヘッダ２１には、第１〜第４熱動弁２３〜２６の一端が接続されている。また、第１,第２熱動弁２３,２４の他端には、第１,第２床冷暖房パネル２７,２８の水入口が接続される。戻りヘッダ２２には、第１,第２床冷暖房パネル２７,２８の水出口が接続されている。こうして、第１,第２床冷暖房パネル２７,２８の温水または冷水が水ユニット２に戻って、水が水回路２９を循環できるようになっている。
【００４５】
上記第１,第２床冷暖房パネル２７,２８は、蛇行形状に形成されると共に、プレート式水熱交換器９から温水または冷水が供給される水循環パイプ３０,３１を有している。
【００４６】
屋内には、上記第１,第２床冷暖房パネル２７,２８の温度等を設定するためのリモコン３２が設置されており、リモコン３２と水ユニット２の制御部１４とが通信線３３によって接続されている。
【００４７】
また、上記水ユニット２の制御部１４とヘッダユニット３の第１〜第４熱動弁２３〜２６の夫々が、二重絶縁または強化絶縁を施した通信線で接続されている。その際に、ヘッダユニット３内に配置されて往きヘッダ２１,戻りヘッダ２２および第１〜第４熱動弁２３〜２６を収納するヘッダボックス(図示せず)に中継端子３４を設置し、中継端子３４における４個の内部端子(図示せず)の夫々と第１〜第４熱動弁２３〜２６の夫々の駆動部とがヘッダユニット内通信線３５で接続されている。そして、中継端子３４の上記内部端子と水ユニット２の制御部１４とを、ヘッダユニット外通信線３６で接続するようにしている。
【００４８】
こうすることにより、予め、上記ヘッダボックスに設置された中継端子３４と第１〜第４熱動弁２３〜２６の夫々の駆動部とをヘッダユニット内通信線３５で接続しておけば、室外ユニット１および水ユニット２の施工時には、ヘッダユニット外通信線３６を直接第１〜第４熱動弁２３〜２６の夫々の駆動部に接続する必要がなく、施工性を向上させることができる。
【００４９】
尚、その際に、上記ヘッダユニット内通信線３５およびヘッダユニット外通信線３６に使用されるリレーとしては、通信線３４,３５の合計長さが５ｍ〜２０ｍと長いためにＳＳＲ(Solid State Relay)等の半導体リレーを使用するとノイズが発生する。そこで、本実施の形態においては、メカニカルリレーを用いることによってノイズの低減を図るようにしている。
【００５０】
上記温調システムは、以下のように動作する。
【００５１】
先ず、暖房運転時には、上記圧縮機４から吐出された冷媒は、四路弁５を通過してプレート式水熱交換器９内へ流入する。すなわち、プレート式水熱交換器９には高温高圧の冷媒が供給される。そして、プレート式水熱交換器９において水と熱交換されて凝縮した低温高圧の冷媒は、電動膨張弁７によって膨張されて減圧され、室外熱交換器６で室外空気から吸熱して蒸発した後、四路弁５およびアキュムレータ８を通過して圧縮機４に戻る。その際に、プレート式水熱交換器９を流れる水は、上記冷媒との熱交換によって温水となり、第１,第２床冷暖房パネル２７,２８に向かって流れる。
【００５２】
このような暖房運転時に、上記リモコン３２からの通信によって、第１,第２床冷暖房パネル２７,２８の温度が設定されると、制御部１４は、室外ユニット１の室外制御装置１３と連携して、第１,第２床冷暖房パネル２７,２８の温度が設定温度になるように、第１,第２熱動弁２３,２４のオン・オフ動作を制御する。
【００５３】
次に、冷房運転時には、上記圧縮機４から吐出された冷媒は、四路弁５を通過して室外熱交換器６に供給され、室外空気との熱交換によって凝縮される。この凝縮した冷媒は、電動膨張弁７で減圧されてプレート式水熱交換器９内へ流入する。すなわち、プレート式水熱交換器９には低温低圧の冷媒が供給される。そして、プレート式水熱交換器９において水から吸熱して蒸発した冷媒は、四路弁５およびアキュムレータ８を通過して圧縮機４に戻る。その際に、プレート式水熱交換器９内を流れる水は、上記冷媒との熱交換によって冷水となり、第１,第２の床冷暖房パネル２７,２８に向かって流れる。
【００５４】
このような冷房運転時に、上記リモコン３２からの通信によって、第１,第２床冷暖房パネル２７,２８の温度が設定されると、制御部１４は、室外ユニット１の室外制御装置１３と連携して、第１,第２床冷暖房パネル２７,２８の温度が設定温度になるように、第１,第２熱動弁２３,２４のオン・オフ動作を制御する。
【００５５】
ところで、本実施の形態においては、上述したように、上記水ユニット２を屋外に設置する一方、ヘッダユニット３を屋内に設置している。そして、ヘッダユニット３には、第１〜第４熱動弁２３〜２６が接続された往きヘッダ２１と、戻りヘッダ２２とを設けている。一方、水ユニット２には、第１〜第４熱動弁２３〜２６のオン・オフを制御する制御部１４を設けている。
【００５６】
したがって、上記水ユニット２から第１〜第４熱動弁２３〜２６への温水または冷水の往きは、往きヘッダ２１の接続口２１aへの１系統のみで良い。同様に、第１〜第４熱動弁２３〜２６から水ユニット２への水の戻しは、戻りヘッダ２２の接続口２２aからの１系統のみで良い。
【００５７】
図２は、上記水ユニット２における全体の構成を示す図である。水ユニット２は、直方体のケーシング４１と、このケーシング４１の底フレーム４１aに取付固定された循環ポンプ１６と、ケーシング４１の側面フレーム４１bの近傍に配置されたプレート式水熱交換器９とを含んでいる。
【００５８】
上記プレート式水熱交換器９には、圧縮機４からの冷媒を供給または排出するための第１冷媒管４２と、上記冷媒を排出または供給するための第２冷媒管４３とが接続されている。さらに、プレート式水熱交換器９には、循環ポンプ１６に対して水を送り出す第１送水管４４の一端と、戻りヘッダ２２からの水を戻す第２送水管４５の一端とが接続されている。
【００５９】
上記循環ポンプ１６の吸入口には第１送水管４４の他端が接続されており、吐出口には吐出管４６の一端が接続されている。そして、第２送水管４５の他端には戻り水ポート４８が接続されている。また、吐出管４６の他端には往き水ポート５１が接続されている。  
【００６０】
このように、本実施の形態においては、上記水ユニット２から第１〜第４熱動弁２３〜２６への温水または冷水の往きは、図１に示すように、水ユニット２の往き水ポート５１と往きヘッダ２１の接続口２１aとを接続する１本の第１水配管５２を介して行われる。また、第１,第２床冷暖房パネル２７,２８から水ユニット２への水の戻しは、戻りヘッダ２２の接続口２２aと水ユニット２の戻り水ポート４８とを接続する１本の第２水配管５３を介して行われる。
【００６１】
したがって、上記室外ユニット１および水ユニット２の施工時に、建屋の壁には、上記往き用の第１水配管５２と戻し用の第２水配管５３との２本の水配管を通すための２個の孔またはまとめて通すための孔と、リモコン３２と水ユニット２の制御部１４とを接続する細い通信線３３を通すための小さな孔とを開けるだけでよく、施工性を改善でき、コストも低減できる。また、建屋の見栄えを大幅に改善することができる。あるいは、２本の水配管５２,５３をまとめて通すための孔と通信線３３を通すための孔とを１つの穴で兼用する場合であっても、第１〜第４熱動弁２３〜２６を屋外に設置する場合に比して、建屋の壁に開ける穴の径を小さくすることができる。したがって、施工性および建屋の見栄えを改善することができる。
【００６２】
更に加えて、上記水ユニット２の制御部１４とヘッダユニット３の第１〜第４熱動弁２３〜２６の夫々を、上記ヘッダボックスに設置された中継端子３４を介して、ヘッダユニット内通信線３５とヘッダユニット外通信線３６とで行うようにしている。したがって、室外ユニット１および水ユニット２の施工時には、ヘッダユニット外通信線３６を直接第１〜第４熱動弁２３〜２６の夫々の駆動部に接続すると言う面倒な作業の必要がなく、施工性をさらに向上させることができる。
【００６３】
その際に、上記屋内側通信線３５および屋外側通信線３６に使用されるリレーとして、ノイズが発生し易い半導体リレーではなく、ノイズが発生し難いメカニカルリレーを用いている。したがって、通信線３４,３５の合計長さが５ｍ〜２０ｍと長い場合であってもノイズの低減を図ることができる。
【００６４】
以下、図１の変形例について説明する。
【００６５】
図３は、室内の冷暖房も併せて行うことができる温調システムの概略構成を示す図である。図３においては、図１と同じ部材については図１と同じ番号を付して、詳細な説明は省略する。
【００６６】
本変形例においては、室外ユニット１と、この室外ユニット１に接続された水ユニット２と、この水ユニット２に接続されたヘッダユニット３とに加えて、室外ユニット１に接続された第１,第２室内熱交換器６１,６２を備えている。ここで、第１室内熱交換器６１は、その一端が第１電動膨張弁６３を介して室外熱交換器６に接続される一方、他端が四路弁５に接続されている。また、第２室内熱交換器６２は、その一端が第２電動膨張弁６４を介して室外熱交換器６に接続される一方、他端が四路弁５に接続されている。
【００６７】
また、上記電動膨張弁７とプレート式水熱交換器９との間の冷媒の温度を検出する第４温度センサ６５と、第１電動膨張弁６３と第１室内熱交換器６１との間の冷媒の温度を検出する第５温度センサ６６と、第２電動膨張弁６４と第２室内熱交換器６２との間の冷媒の温度を検出する第６温度センサ６７とを有している。
【００６８】
さらに、上記四方弁５とプレート式水熱交換器９との間の冷媒の温度を検出する第７温度センサ６８と、四方弁５と第１室内熱交換器６１との間の冷媒の温度を検出する第８温度センサ６９と、四方弁５と第２室内熱交換器６２との間の冷媒の温度を検出する第９温度センサ７０とを有している。
【００６９】
さらに、上記第１室内熱交換器６１には、第１室内熱交換器６１内の冷媒の温度を検出する第１０温度センサ７１が取り付けられる。また、第１室内熱交換器６１の近傍には、室温を検出する第１１温度センサ７２が配置されている。同様に、第２室内熱交換器６２には、第２室内熱交換器６２内の冷媒の温度を検出する第１２温度センサ７３が取り付けられる。また、第２室内熱交換器６２の近傍には、室温を検出する第１３温度センサ７４が配置されている。
【００７０】
そして、上記室外制御装置１３は、上記各温度センサ１０〜１２,６５〜７４からの検出値に基づいて、プレート式水熱交換器９および第１,第２室内熱交換器６１,６２の熱交換効率が最適となるように、圧縮機４のインバータ(図示せず)を制御すると共に、電動膨張弁７および第１,第２電動膨張弁６３,６４の開度を制御する。
【００７１】
上記温調システムは、以下のように動作する。
【００７２】
先ず、暖房運転時には、圧縮機４から吐出された冷媒は、四路弁５を通過して一部はプレート式水熱交換器９内へ流入し、他は第１,第２室内熱交換器６１,６２に流入する。そして、第１,第２室内熱交換器６１,６２において室内の空気と熱交換されて凝縮した冷媒は、第１,第２電動膨張弁６３,６４によって膨張して減圧され、室外熱交換器６で室外の空気から吸熱して蒸発した後、四路弁５およびアキュムレータ８を通過して圧縮機４に戻る。
【００７３】
尚、その場合における上記プレート式水熱交換器９を含む水ユニット２およびヘッダユニット３側の動作は、図１において説明したとおりである。
【００７４】
次に、冷房運転時には、圧縮機４から吐出された冷媒は、四路弁５を通過して室外熱交換器６に供給され、室外の空気との熱交換によって凝縮される。この凝縮した冷媒の一部は、電動膨張弁７で減圧されてプレート式水熱交換器９内へ流入し、他は第１,第２電動膨張弁６３,６４で減圧されて第１,第２室内熱交換器６１,６２に流入する。そして、第１,第２室内熱交換器６１,６２において室内の空気から吸熱して蒸発した冷媒は、四路弁５およびアキュムレータ８を通過して圧縮機４に戻る。
【００７５】
尚、その場合における上記プレート式水熱交換器９を含む水ユニット２およびヘッダユニット３側の動作は、図１において説明したとおりである。
【００７６】
このように、本変形例によれば、第１,第２室内熱交換器６１,６２による室内の冷暖房と、プレート式水熱交換器９による床冷暖房とを、平行して行うことができるのである。  
【００７７】
上記実施の形態およびその変形例においては、室外ユニット１と水ユニット２とを別構成にしているが、一体構成にしても一向に差し支えない。その場合には、室外ユニット１と水ユニット２との間の配管工事および配線工事が不要となり、更なる施工性の改善を図ることができる。
【００７８】
また、上記実施の形態およびその変形例においては、上記往きヘッダ２１,戻りヘッダ２２,第１〜第４熱動弁２３〜２６および中継端子３４を有するヘッダユニット３の具体的な設置箇所を明示してはいないが、第１〜第４熱動弁２３〜２６および戻りヘッダ２２に接続される第１,第２床冷暖房パネル２７,２８が設置される床下に設置することが望ましい。その場合には、第１,第２熱動弁２３,２４および戻りヘッダ２２と第１,第２床冷暖房パネル２７,２８とを接続する配管の引き回しを短くすると共に、室内からヘッダユニット３を無くして室内をスッキリさせることができる。
【００７９】
また、上記実施の形態およびその変形例においては、上記往きヘッダ２１に第１〜第４熱動弁２３〜２６を接続する一方、戻りヘッダ２２に第１,第２床冷暖房パネル２７,２８の水出口を接続している。しかしながら、この発明はこれに限定されるものではなく、往きヘッダ２１に第１,第２床冷暖房パネル２７,２８の水入口を接続する一方、戻りヘッダ２２に第１〜第４熱動弁２３〜２６を接続しても差し支えない。
【００８０】
次に、図３に示す変形例とは異なる他の変形例について説明する。
【００８１】
上記実施の形態およびその変形例においては、上記水ユニット２は屋外に設置されている。しかしながら、上記水ユニット２は、必ずしも屋外に設置されるとは限らない。例えば、寒冷地等において、水回路２９の第２水配管５３内を流れる第１,第２床冷暖房パネル２７,２８から水ユニット２への戻り水の凍結を防止するために、建屋内における第１,第２床冷暖房パネル２７,２８が設置される部屋とは壁によって仕切られた、例えば駐車場や地下室や納戸等に設置される場合がある。
【００８２】
その場合においても、上記室外ユニット１および水ユニット２の施工時に、建屋の壁には、電動膨張弁７とプレート式水熱交換器９とを接続する冷媒流路、および、四路弁５とプレート式水熱交換器９とを接続する冷媒流路の２本の冷媒配管を通すための２個の孔またはまとめて通すための孔を開けるだけでよく、施工性を改善でき、コストも低減することできる。また、建屋の見栄えを大幅に改善することができる。
【００８３】
さらに、上記第１,第２床冷暖房パネル２７,２８が設置される部屋と水ユニット２が設置される部屋とを仕切る壁には、上記往き用の第１水配管５２と戻し用の第２水配管５３との２本の水配管を通すための２個の孔またはまとめて通すための孔と、リモコン３２と水ユニット２の制御部１４とを接続する細い通信線３３を通すための小さな孔とを開けるだけでよく、施工性を改善でき、コストも低減できる。また、上記両部屋を仕切る壁の見栄えを大幅に改善することができる。
【００８４】
上記実施の形態およびその各変形例において、床冷暖房パネル２７,２８のうちの少なくとも一つを、天井冷暖房パネル、天井冷房パネル、天井暖房パネル、壁冷暖房パネル、壁冷房パネル、壁暖房パネル、または、室内設置型ラジエータなどの熱交換端末に換えてもよい。すなわち、所定の供給先の他の一例としては、天井冷暖房パネル、天井冷房パネル、天井暖房パネル、壁冷暖房パネル、壁冷房パネル、壁暖房パネル、または、室内設置型ラジエータなどの熱交換端末がある。
【符号の説明】
【００８５】
１…室外ユニット、
２…水ユニット、
３…ヘッダユニット、
４…圧縮機、
５…四路弁、
６…室外熱交換器、
７…電動膨張弁、
９…プレート式水熱交換器、
１３…室外制御装置
１４…制御部、
１５…膨張タンク、
１６…循環ポンプ、
２１…往きヘッダ、
２２…戻りヘッダ、
２３〜２６…第１〜第４熱動弁、
２７,２８…第１,第２床冷暖房パネル、
２９…水回路、
３２…リモコン、
３３…通信線、
３４…中継端子、
３５…ヘッダユニット内通信線、
３６…ヘッダユニット外通信線、
４４,４５…第１,第２送水管、
４６…吐出管、
４８…戻り水ポート、
５１…往き水ポート、
５２,５３…第１,第２水配管、
６１,６２…第１,第２室内熱交換器、
６３,６４…第１,第２電動膨張弁。
【図１】
0005892269.tif 000002
【図２】
0005892269.tif 000003
【図３】
0005892269.tif 000004